(57)【要約】      （修正有）【課題】持ち易く、使い捨てる部分が少なくて済む、清掃化粧器具を提供する。【解決手段】使用者によって把持される把持部３０を有し、把持部３０の一端に作用具５０を挟持する挟持部２０を設けた。より好ましくは、挟持部２０を覆うカバー４０を備える。また、より好ましくは、把持部３０に作用具５０を保管する保管部３３を有する。【選択図】図１
2019010276.tif 000002
【特許請求の範囲】
【請求項１】
使用者によって把持される把持部と、
前記把持部の一端に作用具を挟持する挟持部と、
を有する清掃化粧器具。
【請求項２】
前記挟持部を覆うカバーを備える
ことを特徴とする請求項１に記載の清掃化粧器具。
【請求項３】
前記把持部に前記作用具を保管する保管部を有する
ことを特徴とする請求項１または２に記載の清掃化粧器具。
【請求項４】
前記挟持部は、第一部材と第二部材が略中央のヒンジを介して連結し、ヒンジを挟んで一端側の作用具受部は閉じるように付勢され、他端側の摘み部を互いに近づける方向に押すと開く
ことを特徴とする請求項１〜３のいずれか一項に記載の清掃化粧器具。
【請求項５】
前記把持部から延びた部材が前記挟持部の前記第二部材の一部となっている
ことを特徴とする請求項１〜４のいずれか一項に記載の清掃化粧器具。
【請求項６】
前記挟持部は、第一部材と第二部材の長さが異なる
ことを特徴とする請求項１〜５のいずれか一項に記載の清掃化粧器具。
【請求項７】
前記挟持部は、前記作用具受部の内側に長手方向に沿って溝を有する
ことを特徴とする請求項１〜６のいずれか一項に記載の清掃化粧器具。
【請求項８】
前記挟持部は、前記作用具受部の内側に短手方向に沿って溝を有する
ことを特徴とする請求項１〜６のいずれか一項に記載の清掃化粧器具。
【請求項９】
前記挟持部は、前記第一部材の前記作用具受部の内側に長手方向に沿って凸部を有し、前記第二部材の前記作用具受部の内側に凹部を有する
ことを特徴とする請求項１〜６のいずれか一項に記載の清掃化粧器具。
【請求項１０】
前記作用具は、フロッキー加工された部材である
ことを特徴とする請求項１〜８のいずれか一項に記載の清掃化粧器具。
【請求項１１】
前記作用具は、棒状部材にフロッキー加工された材料が付いている
ことを特徴とする請求項１〜８のいずれか一項に記載の清掃化粧器具。
【請求項１２】
前記作用具は、前記棒状部材に凸部を有し、前記挟持部が挟持する位置を調整できる
ことを特徴とする請求項１〜８のいずれか一項に記載の清掃化粧器具。
【請求項１３】
前記作用具は、板状部材が貫通孔を有し、前記板状部材にフロッキー加工された材料が付いていることを特徴とする請求項９に記載の清掃化粧器具。
【発明の詳細な説明】
【技術分野】
【０００１】
本発明は、清掃、化粧、消毒等に使用する携帯型の清掃化粧器具に関する。
【背景技術】
【０００２】
特許文献１には、細い棒状の軸の両端に綿球を取り付けた、一般的な綿棒の形状が記載されている。
【先行技術文献】
【特許文献】
【０００３】
【特許文献１】特開２００５−１９８７３９号公報
【発明の概要】
【発明が解決しようとする課題】
【０００４】
綿棒は細い棒状の軸の両端に綿球を取り付けた形をしているが、細い棒状の軸を指先で摘んで使用するため、掴む力が弱いと上手く掴めず、人によっては使いにくい。また、使用後は、使用して汚れた部分のみならず全体を捨てるものであり、無駄になってしまう部分が多い。
さらに、耳や鼻の孔などに使用時に奥に入れすぎない様な機能が望まれている。
【０００５】
そこで、本発明では、上記事情に鑑み、持ち易く、使い捨てる部分が少なくて済み、入れすぎを防止する、清掃化粧器具を提供することを目的とする。
【課題を解決するための手段】
【０００６】
上記課題を解決するために本発明の清掃化粧器具は、例えば、使用者によって把持される把持部と、前記把持部の一端に作用具を挟持する挟持部とを有する。
【０００７】
清掃化粧器具は、前記挟持部を覆うカバーを備えていてもよい。
【０００８】
また、前記把持部に前記作用具を保管する保管部を有していてもよい。
【０００９】
前記挟持部は、第一部材Ｍ１と第二部材Ｍ２が略中央のヒンジを介して連結し、ヒンジを挟んで一端側の作用具受部は閉じるように付勢され、他端側の摘み部を互いに近づける方向に押すと開くものであってもよい。
【００１０】
または、前記把持部から延びた部材が前記挟持部の前記第二部材Ｍ２の一部となっていてもよい。
【００１１】
前記挟持部は、第一部材Ｍ１と第二部材Ｍ２の長さが異なっていてもよい。
【００１２】
前記挟持部は、前記作用具受部の内側に長手方向に沿って溝を有する構造としてもよい。
【００１３】
または、前記挟持部は、前記作用具受部の内側に短手方向に沿って溝を有する構造としてもよい。
【００１４】
あるいは、前記挟持部は、前記第一部材Ｍ１の前記作用具受部の内側に長手方向に沿って凸部を有し、前記第二部材Ｍ２の前記作用具受部の内側に凹部を有する構造としてもよい。
【００１５】
前記作用具は、フロッキー加工された部材としてもよい。
【００１６】
前記作用具は、棒状部材にフロッキー加工された材料が付いていてもよい。
【００１７】
前記作用具は、棒状部材に凸部を有していてもよい。
【００１８】
または、前記作用具は、板状部材が貫通孔を有し、前記板状部材にフロッキー加工された材料が付いていてもよい。
【発明の効果】
【００１９】
本発明によれば、指で摘んで使用する細かい部材の使用が容易になり、使い捨てる部分が少なくて済む。
【図面の簡単な説明】
【００２０】
【図１】第一の実施形態に係る清掃化粧器具の部分分解図及び側面図である。
【図２】第二の実施形態に係る清掃化粧器具の側面図である。
【図３】第二の実施形態の変形例１に係る清掃化粧器具の斜視図である。
【図４】第二の実施形態の変形例２に係る清掃化粧器具の斜視図である。
【図５】第二の実施形態の変形例２に係る清掃化粧器具の斜視図である。
【図６】第二の実施形態の変形例２に係る清掃化粧器具の別の例の斜視図である。
【図７】第二の実施形態の変形例３に係る清掃化粧器具の斜視図である。
【図８】第二の実施形態の変形例３に係る清掃化粧器具の挟持部の拡大図である。
【図９】第二の実施形態の変形例３に係る清掃化粧器具の斜視図である。
【図１０】第二の実施形態の変形例３に係る清掃化粧器具の斜視図である。
【図１１】第二の実施形態の変形例４を示す斜視図である。
【発明を実施するための形態】
【００２１】
本願発明の実施の形態の例について、以下、図に基づいて説明する。
【００２２】
＜第一の実施形態＞
図１は、第一の実施形態に係る清掃化粧器具の部分分解図及び側面図である。
【００２３】
図１（ａ）は、清掃化粧器具１０の部分分解図、図１（ｂ）は、カバー４０を嵌めた状態の側面図、図１（ｃ）は、カバー４０を（ｂ）とは反対側に嵌めた状態の側面図、図１（ｄ）は、作用具５０を取り付ける時の側面図、図１（ｅ）は、清掃化粧器具１０を使用する時の側面図である。
【００２４】
清掃化粧器具１０は、図１（ａ）に示すように、使用者によって把持される把持部３０と、把持部３０の一端に作用具５０を挟持する挟持部２０とを有する。また、清掃化粧器具１０は、挟持部２０を覆うカバー４０を備えている。
【００２５】
挟持部２０は、第一部材Ｍ１と第二部材Ｍ２がヒンジを介して連結され、ばねで付勢された構造をしている。
【００２６】
挟持部２０は、作用具受部２１、２２、摘み部２３，２４、凸部２５、軸棒２６（詳図せず）、コイルばね（図示せず）（トーションばね、ねじりスプリングともいう）を有している。
【００２７】
第一部材Ｍ１は細長く、一端側に作用具受部２１、他端側に摘み部２３を有している。第二部材Ｍ２も同様に細長く、一端側に作用具受部２２、他端側に摘み部２４を有している。第一部材Ｍ１と第二部材Ｍ２の略中央には、それぞれ半円状の凸部２５が設けられ、凸部は貫通孔を有している。
【００２８】
貫通孔には軸棒２６（詳図せず）が通される。凸部２５の貫通孔に軸棒２６が通されることでヒンジの役割をする。また、第一部材Ｍ１と第二部材Ｍ２が連結される構造となる。さらに、軸棒２６にはコイルばね（図示せず）も取り付けられる。
【００２９】
コイルばねの作用により、第一部材Ｍ１の作用具受部２１と第二部材Ｍ２の作用具受部２２は閉じるように付勢される。一方、摘み部２３、２４は、コイルばねの腕側に位置するので、互いに離れる方向に開く形になる。
【００３０】
コイルばねにより閉じるように付勢されている作用具受部２１、２２が、後述する作用具５０を挟持する部分となる。
【００３１】
図１（ｄ）に示すように、摘み部２３、２４を摘んで指で力を加え、互いに近づく方向に押すと、作用具受部２１、２２が互いに離れる方向に開くようになっている。
【００３２】
挟持部２０は、プラスチックで形成されるが、プラスチック以外の素材、例えばステンレスなどの金属でもよく、特に限定はされない。また、ばね部分は、コイルばねを使用したが、第一部材Ｍ１と第二部材Ｍ２を付勢できるものであればよく、例えば、板バネであってもよい。
【００３３】
あるいは、第一部材Ｍ１と第二部材Ｍ２が磁石で引き合い付勢する構造であってもよい。作用具受部２１、２２がそれぞれＳ極とＮ極の板状磁石であり、摘み部２３、２４が外側に開くように曲がっている形状であれば、ヒンジの役割をする軸棒２６とコイルばねがない構造でも、後述する作用具５０を挟持することができる。または、コイルばねの弾性が弱い場合やコイルばねがなく軸棒２６だけの場合であっても、磁石の引き合う力により後述する作用具５０を挟持することができる。
【００３４】
なお、第一部材Ｍ１と第二部材Ｍ２の両方が磁石でなくても、一方が磁石、もう一方が鉄などの磁性体で引き合う構造であってもよいし、第一部材Ｍ１と第二部材Ｍ２の作用具受部２１、２２部分に磁性体を埋め込んで引き合う構造であってもよい。
【００３５】
把持部３０は、カバー４０が嵌る篏合部３１、軸筒３２、保管部３３、エンドキャップ３４、接続部３５を有する。把持部３０は、プラスチックで形成されるが、プラスチック以外の素材、例えばシリコンなどでもよく、特に限定はされない。
【００３６】
篏合部３１は、軸筒３２より小さい環状部分で、軸筒３２との境目でカバー４０が嵌る大きさに形成されている。篏合部３１は、篏合部３１にカバー４０を嵌めたときに、カバー４０が篏合部３１にしっかりと嵌って簡単に外れない構造であればどのような構造でもよく、例えば、篏合部３１と後述するカバー４０の開口内部に螺子を切って、回して嵌める構造になっていてもよい。
【００３７】
軸筒３２は、篏合部３１より大きい環状の筒で、手で持てる程度の太さで形成されている。軸筒３２の一端には挟持部２０と繋がる接続部３５が設けられている。接続部３５は、挟持部２０の軸棒２６に接続される。なお、接続の仕方に限定はなく、挟持部２０と接続部３５が繋がっており、摘み部２３、２４を摘んで作用具受部２１、２２を互いに離れる方向に開ければ、どのような構成になっていてもよい。
【００３８】
軸筒３２の内部は、中空になっており、作用具５０を保管する保管部３３が形成されている。保管部３３には、後述する作用具５０の予備が複数保管できるようになっている。接続部３５が設けられた軸筒３２の他端には、作用具５０が保管部３３から脱落しないよう蓋をするためのエンドキャップ３４が設けられている。エンドキャップ３４は、一部を軸筒３２の内側の保管部３３に嵌め込んで蓋をする構造になっている。エンドキャップ３４の外に出ている部分には、軸筒３２の長軸方向に凸部が設けられ、指で摘めるようになっている。そのため、保管部３３を密封しつつ、外しやすい構造となっている。
なお、エンドキャップ３４が軸筒３２に蓋をできれば、どのような構造になっていてもよい。
【００３９】
カバー４０は、カバー本体４１とクリップ４２とを有する。カバー４０は筒状で一端が閉じており、他端が開口している構造になっている。図１（ｂ）に示すように、カバー本体４１は、挟持部２０が作用具５０を挟持した状態で篏合部３１に嵌り、作用具５０をカバーできる大きさになっている。
【００４０】
また、カバー４０は、接続部３５が設けられた軸筒３２の他端側に嵌めることもできる。こうすると、図１（ｃ）に示すように、カバー４０を外して後述する作用具５０を使用する際に、カバー４０を無くす心配がない。
【００４１】
クリップ４２は、カバー本体４１との間に衣服等や紙を挟持して、落ちない構造になっている。クリップ４２は、カバー本体４１のどの位置に設けられていてもよい。カバー４０の開口部分の端部に設けた場合でも、カバー４０が篏合部３１に嵌っていれば、軸筒３２がカバー本体４１と同じ働きをして、衣類等や紙を挟持することができる。
【００４２】
作用具５０は、芯材を布で包んだ棒状の部材や綿棒先端の綿球の様に繊維を加工した部材などから形成される。作用具５０は、使い捨てのできる柔らかい部材で形成されるが、洗って繰り返し使える部材であってもよいし、固い部材であってもよい。また、棒状でなく板状の部材であってもよい。さらに、棒状等の部材に細かなブラシがついたものであってもよい。
【００４３】
挟持部２０と把持部３０を合わせた長さは、８ｃｍ〜２５ｃｍであり、望ましくは１０ｃｍ〜２０ｃｍである。挟持部２０が作用具５０を挟持したときの長さは、９ｃｍ〜２６ｃｍであり、望ましくは１１ｃｍ〜２２ｃｍである。挟持部２０が作用具５０を挟持したまま、カバー４０を嵌めたときの全長は、９ｃｍ〜２６ｃｍであり、望ましくは１１ｃｍ〜２３ｃｍである。
【００４４】
以上の構成により、図１に基づいて使用方法について説明する。
【００４５】
図１（ｄ）に示すように、摘み部２３、２４を摘んで互いに近づく方向に押すと、作用具受部２１、２２が互いに離れる方向へ開く。作用具５０の一部を作用具受部２１、２２の間に入れ、指を摘み部２３、２４から離して、作用具５０を作用具受部２１、２２で挟持する。図１（ｅ）に示すように、鉛筆を持つように軸筒３２を手で持ち、対象物に対して使用する。作用具５０が柔らかい部材のため、耳掃除や鼻掃除等に使用することができる。
【００４６】
使用して汚れた作用具５０は、摘み部２３、２４を押し、作用具受部２１、２２を開けば、作用具受部２１、２２から離れ落ちるので、手を汚すことなく廃棄することができる。そのため、傷口の消毒等、衛生用器具として使用することができる。
作用具５０は、一端が作用具受部２１、２２に挟持され、他端を使用して清掃、消毒等を行い、そのまま廃棄される。しかし、例えば、作用具５０の一端を傷口の清掃に使用し、挟持する部分を入れ替えて、作用具５０の他端を傷口の消毒に使用することもできる。
【００４７】
本実施形態によれば、清掃化粧器具は、ペンを持つようにして使用することができるので、例えば綿棒のような細い棒を使用するよりも安定感を持って細かい部分に使用することができる。また、ある程度の太さがあり、手で握った時に安定感が出るため、手が多少不自由な人でも簡単に耳掃除や鼻掃除をすることができる。
あるいは、作用具５０がブラシ状のものであれば、口腔掃除にも使用することができる。
【００４８】
挟持部２０に挟み込む作用具５０の長さを変え、挟持部２０から出る作用具５０部分を短くすれば、挟持部２０がストッパーの役目をするので、耳や鼻の奥まで作用具５０が入り込むことがない。そのため、幼児や高齢者の世話をする人が容易に耳掃除や鼻掃除をすることができる。
【００４９】
この場合、例えば、挟持部２０の作用具受部２１、２２が作用具５０を挟持した状態での作用具受部２１、２２の末端部分の外形の太さは８ｍｍ〜２５ｍｍであり、望ましくは１２ｍｍ〜２０ｍｍである。また、作用具受部２１、２２の末端の形状は棒状でなくてもよく、例えば、リング状の防御枠が付いている形状でもよい。
【００５０】
さらに、使用していない作用具５０を挟持部２０で挟持した状態で、カバー４０を嵌めることができるので、作用具５０を清潔なまま保持することができる。カバー４０にはクリップ４２がついているのでポケットやカバンの中などに挟んで持ち運ぶことができる。
【００５１】
保管部３３には作用具５０の予備が複数保管されているので、清掃化粧器具１０の他に作用具５０の予備を保管した入れ物を持ち歩く必要がなく、携帯に便利なものとなる。
【００５２】
また、作用具５０はカバー４０により、保管部３３はエンドキャップ３４により、密封できる構造になっている。そのため、湿気を排除して乾燥状態を保持することができる。一方、作用具５０が吸水したものの場合は、乾燥を防止することができる。
【００５３】
把持部３０がプラスチックで形成された場合には、把持部３０の篏合部３１側にゴム材を線状または複数の点状に設けて、把持部３０を手で握った時の滑り止めとする構造としてもよい。あるいは、把持部３０がシリコンで形成された場合には、シリコンが滑り止めの役割も有することになる。このような構造にすれば、本発明の実施形態をより安定した状態で実施することができる。
【００５４】
以下、上述の実施形態と同様の構成を有するものについては同様の符号を付し、詳細な説明は省略する。
【００５５】
＜第二の実施形態＞
図２は、本発明の第二の実施形態に係る清掃化粧器具の側面図である。
【００５６】
本実施形態では、挟持部２０の形状が第一の実施形態と異なる。
【００５７】
挟持部２０は、作用具受部２１，２２、摘み部２３、凸部２５、軸棒２６（詳図せず）、コイルばね（図示せず）を有している。第一の実施形態では接続部３５が軸棒２６に接続されて挟持部２０と把持部３０が繋がっていたが、本実施形態では、把持部３０の接続部３５が第二部材Ｍ２の作用具受部２２に一体的に繋がる構造になっている。すなわち、接続部３５が延びて、第二部材Ｍ２の一部となっている構造をしている。接続部３５から作用具受部２２に延びた部分の一部に、貫通孔を有する凸部２５が設けられ、摘み部２３を備える第一部材Ｍ１の凸部２５と重なり合うように嵌め込まれ、コイルばねと共に軸棒２６で固定されている。
【００５８】
作用具５０を挟み込む際には、摘み部２３を指で接続部３５の方向に押すと、作用具受部２１が作用具受部２２から離れる方向へ動くので、挟持部２０に作用具５０を挟むことができる。接続部３５は固定されているが、作用具受部２１が作用具受部２２から離れる方向へ動く際に摘み部２３と共に指で摘む、摘み部分の役割をする構造になっている。
【００５９】
本実施形態によれば、接続部３５が把持部３０から延びて挟持部２０が固定された構造になっているため、摘み部が二つの場合より少ない力でぐらつかず安定した状態で、作用具受部２１，２２を開くことができる。
【００６０】
また、挟持部２０と把持部３０が一体的に繋がる構造になっているので、一体成型することができ、清掃化粧器具１０の製造が容易になる。
【００６１】
＜第２の実施形態の変形例１＞
図３は、本発明の第二の実施形態の変形例１を示す斜視図である。
【００６２】
挟持部２０の第一部材Ｍ１の作用具受部２１の長さは、第二部材Ｍ２の作用具受部２２より短い構造となっている。作用具受部２１の長さは、作用具受部２２より三分の一ほど短いが、さらに短く半分程度の構造になっていてもよい。
【００６３】
これにより作用具受部を開く幅を作用具受部が同じ長さの場合より狭くすることができ、開く力が小さくても作用具５０を容易に挟持部２０に出し入れすることができる。また、摘み部２３を摘んで力を入れて作用具受部２１、２２を開く動作も掛ける力が弱くてもよいため、容易になる。さらには、第二部材Ｍ２の作用具受部２２の先端に、作用具５０の端部を載せスライドさせることで作用具５０のセットが容易になる。また、例えば、濡れた作用具５０を取り外すときにも外しやすくなる。
【００６４】
＜第二の実施形態の変形例２＞
図４及び図５は、本発明の第二の実施形態の変形例２を示す斜視図である。図４では、作用具５０ａは、棒状部材の先端にフロッキー加工した（微細な繊維を植毛した）略円錐形状の材料を付けた部材を示している。図５では、作用具５０ｂは、棒状部材の先端に先端を斜めにカットした形状のフロッキー加工された材料を付けた部材を示している。
【００６５】
挟持部２０の作用具受部２１ａ、２２ａは内側に、挟持部２０の長手方向に溝を有する構造となっている。溝は、半円形状に形成される。
【００６６】
この構造によれば、溝に棒状の作用具５０ａ、５０ｂが嵌るので、作用具受部２１、２２のように溝がない場合よりしっかりと挟持される。これにより、作用具５０ａ、５０ｂが挟持部２０の短手方向に動かず、清掃化粧器具の使用中に作用具５０ａ、５０ｂが落下することがない。
【００６７】
このため、軸筒３２を持って横に動かして使用し、作用具５０が横に動く動作が多い、化粧等に使用する場合に便利である。例えば、唇に口紅やグロスを塗ったり、まぶたにアイシャドウを塗ったりする際や、化粧直しをする際に、細かい作業ができ便利である。
また、作用具５０ｂは、耳掃除用の梵天（先端に羽毛を略球体状につけたもの）とすることもできる。
【００６８】
＜第二の実施形態の変形例２の別の例＞
図６は、第二の実施形態の変形例２の別の例を示す斜視図である。図６では、作用具５０ｃは、先端を斜めにカットした板状のフロッキー加工された部材を示している。
【００６９】
挟持部２０の作用具受部２１ｂ、２２ｂは内側に、挟持部２０の長手方向に溝を有する構造となっている。溝は、コの字状に形成される。
この構造によれば、溝に作用具５０ｃが嵌り、板状の作用具５０ｃが作用具受部２１、２２のように溝がない場合よりしっかりと挟持される。そのため、挟持部２０の短手方向に動くことがないので、清掃化粧器具の使用中に作用具５０ｃの落下が予防でき、使い勝手が良い。
【００７０】
＜第二の実施形態の変形例３＞
図７〜図１０は、第二の実施形態の変形例３を示す図である。図７、図９及び図１０は、第二の実施形態の変形例３を示す斜視図である。図７では、作用具５０ｄは、芯材の入った柔らかい布の部材を示している。図９（Ａ）では、作用具５０ｅは、棒状部材の先端に先端が丸いフロッキー加工された材料を付けた部材を示している。図９（Ｂ）では、作用具５０ｅが棒状部材に凸状リングを有している部材を示している。図１０では、作用具５０ｆは、棒状部材の先端に中空部を有するフロッキー加工された材料を付けた部材を示している。図８は、第二の実施形態の変形例３における挟持部２０の作用具受部２１ｃ、２２ｃの拡大図である。
【００７１】
挟持部２０の作用具受部２１ｃ、２２ｃは内側に、挟持部２０の短手方向に沿って溝を有する構造となっている。図８に示すように、挟持部２０の短手方向に沿って形成された溝は、挟持部２０の長手方向に複数形成されている。
なお、本実施形態では、溝は複数形成される形態としているが、少なくとも一つ形成されていればよい。
【００７２】
この構造によれば、作用具５０ｄの様に柔らかい部材や作用具５０ｅ、５０ｆの様な棒状の部材が作用具受部２１、２２のように溝がない場合よりしっかりと挟持される。そのため、作用具５０ｄ、５０ｅ、５０ｆが挟持部２０の長手方向に動くことがない。よって、軸筒３２を持って清掃化粧器具１０の長手方向に動かして使用する際に作用具５０ｄ、５０ｅ、５０ｆが落下することなく使用することができ、目、耳、鼻を掃除、消毒等する際に便利である。
【００７３】
図９（Ｂ）に示すように、作用具５０ｅが棒状部材に凸状リングを有している部材の場合には、作用具受部２１ｃ、２２ｃの内側に複数設けられた溝の一つに凸状リングが嵌るよう位置合わせをして挟持することができる。そのため、作用具５０ｅの長さを段階的に調整することができる。
【００７４】
ここで、作用具５０ｅは、凸状リングを少なくとも一つ有していればよく、複数有していてもよい。また、凸状リングは、棒状部材と一体に形成されていてもよく、取り外しができるようになっていてもよい。取り外しができるよう形成されている場合は、作用具５０ｅの棒状部材の任意の位置に凸状リングを嵌めることができ、作用具５０ｅの長さをより段階的に調整することができる。
なお、凸状リングは、リング形状でなく、例えば、イボ状の突起などであってもよい。
【００７５】
＜第二の実施形態の変形例４＞
図１１は、第二の実施形態の変形例４を示す斜視図である。
【００７６】
挟持部２０の作用具受部２１ｄは内側に、挟持部２０の長手方向に沿って凸部２１ｅを有している。作用具受部２２ｄは内側に、挟持部２０の長手方向に沿って凹部２２ｅを有する構造となっている。作用具受部２１ｄの凸部２１ｅが作用具受部２２ｄの凹部２２ｅに嵌る構造となっている。作用具受部２２の凹部２２ｅは、貫通孔であってもよい。
【００７７】
作用具５０ｇは、板状部材の先端に略円錐形状のフロッキー加工された材料を付けた部材になっている。板状部分には、作用具受部２１ｄの凸部２１ｅが貫通する貫通孔５１が設けられている。作用具受部２１ｄの凸部２１ｅは、作用具５０ｇの貫通孔５１を貫通し、作用具受部２２ｄの凹部２２ｅに嵌る構造になっている。
【００７８】
この構造によれば、作用具受部２１ｄの凸部２１ｅが作用具５０ｇの貫通孔５１を貫通して作用具受部２２ｄの凹部２２ｅに嵌り、作用具５０ｇが動くことがない。作用具５０ｇがしっかりと固定されるため、軸筒３２を使用部分に当てた時に力加減の微調整ができなくても、使用したい部分に作用具５０をしっかりと当てることができる。
【００７９】
なお、作用具受部の凹凸部は、対になるように形成されるが、本実施形態の様に複数設けられてもよいし、少なくとも一つ設けられていればよい。
【００８０】
以上、本発明の実施形態を説明したが、上記に記載した実施形態は特許請求の範囲に係る発明を限定するものではない。また、実施形態の中で説明した特徴の組み合わせの全てが発明の課題を解決するための手段に必須であるとは限らない点に留意すべきである。
【００８１】
例えば、把持部３０の保管部３３を設けなかった場合には、把持部３０を細く形成することができるので、場所を取らずに清掃化粧器具１０を収納することができる。
【００８２】
本実施形態によれば、耳掃除や鼻掃除を簡便に行えるだけでなく、例えば、化粧の際に、作用具５０として小さなチップを付け替えることができるので、柄の長い化粧用ブラシを使用しなくても細かな部分の化粧を安定した状態できれいに仕上げることもできる。また、持ち運びができるので化粧直しの際にも便利である。あるいは、怪我の患部を消毒したり、口腔掃除等する際にも、消毒液や唾液等が使用する者の手に付かない。そのため、手を汚すことなく衛生的に行うことができ、衛生用器具としても使用することができる。
【符号の説明】
【００８３】
１０：清掃化粧器具
２０：挟持部
Ｍ１：第一部材
Ｍ２：第二部材
２１、２２：作用具受部
２３、２４：摘み部
２５：凸部
２６：軸棒
３０：把持部
３１：篏合部
３２：軸筒
３３：保管部
３４：エンドキャップ
３５：接続部
４０：カバー
４１：カバー本体
４２：クリップ
５０：作用具
５１：貫通孔
【図１】
2019010276.tif 000003
【図２】
2019010276.tif 000004
【図３】
2019010276.tif 000005
【図４】
2019010276.tif 000006
【図５】
2019010276.tif 000007
【図６】
2019010276.tif 000008
【図７】
2019010276.tif 000009
【図８】
2019010276.tif 000010
【図９】
2019010276.tif 000011
【図１０】
2019010276.tif 000012
【図１１】
2019010276.tif 000013
【手続補正書】
【提出日】平成29年11月15日(2017.11.15)
【手続補正１】
【補正対象書類名】特許請求の範囲
【補正対象項目名】全文
【補正方法】変更
【補正の内容】
【特許請求の範囲】
【請求項１】
使用者によって把持される把持部と、
前記把持部の一端に作用具を挟持する挟持部と、
を有し、
前記挟持部は、第一部材と第二部材が略中央のヒンジを介して連結し、ヒンジを挟んで一端側の作用具受部は閉じるように付勢され、他端側の摘み部を互いに近づける方向に押すと開く
ことを特徴とする清掃化粧器具。
【請求項２】
前記挟持部を覆うカバーを備える
ことを特徴とする請求項１に記載の清掃化粧器具。
【請求項３】
前記把持部に前記作用具を保管する保管部を有する
ことを特徴とする請求項１または２に記載の清掃化粧器具。
【請求項４】
前記把持部から延びた部材が前記挟持部の前記第二部材の一部となっている
ことを特徴とする請求項１〜３のいずれか一項に記載の清掃化粧器具。
【請求項５】
前記挟持部は、第一部材と第二部材の長さが異なる
ことを特徴とする請求項１〜３のいずれか一項に記載の清掃化粧器具。
【請求項６】
前記挟持部は、前記作用具受部の内側に長手方向に沿って溝を有する
ことを特徴とする請求項１〜５のいずれか一項に記載の清掃化粧器具。
【請求項７】
前記挟持部は、前記作用具受部の内側に短手方向に沿って溝を有する
ことを特徴とする請求項１〜５のいずれか一項に記載の清掃化粧器具。
【請求項８】
前記挟持部は、前記第一部材の前記作用具受部の内側に長手方向に沿って凸部を有し、前記第二部材の前記作用具受部の内側に凹部を有する
ことを特徴とする請求項１〜５のいずれか一項に記載の清掃化粧器具。
【請求項９】
前記作用具は、フロッキー加工された部材である
ことを特徴とする請求項１〜８のいずれか一項に記載の清掃化粧器具。
【請求項１０】
前記作用具は、棒状部材にフロッキー加工された材料が付いている
ことを特徴とする請求項１〜８のいずれか一項に記載の清掃化粧器具。
【請求項１１】
前記作用具は、前記棒状部材に凸部を有し、前記挟持部が挟持する位置を調整できる
ことを特徴とする請求項１０に記載の清掃化粧器具。
【請求項１２】
前記作用具は、板状部材が貫通孔を有し、前記板状部材にフロッキー加工された材料が付いていることを特徴とする請求項８に記載の清掃化粧器具。